【手続補正書】
【提出日】平成22年2月19日(2010.2.19)
【手続補正１】
【補正対象書類名】特許請求の範囲
【補正対象項目名】全文
【補正方法】変更
【補正の内容】
【特許請求の範囲】
【請求項１】
記録層を有する記録媒体上にデータを記録する方法であって、前記記録層はインナー領域、データ領域およびアウター領域を含み、前記データ領域はユーザーデータ領域およびスペア領域に分けられ、前記ユーザーデータ領域は複数のクラスタからなり、前記方法は、
（ａ）データ領域の欠陥領域を管理するための仮欠陥リストを有する第１のデータブロックを前記インナー領域または前記スペア領域内に割り当てられた仮欠陥管理領域上に記録するステップと、
（ｂ）スペースビットマップを有する第２のデータブロックを前記仮欠陥管理領域上に記録するステップであって、前記スペースビットマップは、前記記録層上の特定の領域内の各クラスタが記録されたデータを含むか否かを指示するビットマップデータを含み、前記第２のデータブロックは、前記特定の領域の開始位置を指示する第１の情報、および前記特定の領域の長さに関連する第２の情報を含む、ステップと
を含むことを特徴とする方法。
【請求項２】
（ｃ）前記記録媒体への記録が完了したとき、最後の仮欠陥リストおよび最後のスペースビットマップを前記インナー領域または前記アウター領域内に割り当てられた欠陥管理領域上に記録するステップ
をさらに含むことを特徴とする請求項１に記載の方法。
【請求項３】
記録層を有する記録媒体上にデータを記録する装置であって、前記記録層はインナー領域、データ領域およびアウター領域を含み、前記データ領域はユーザーデータ領域およびスペア領域に分けられ、前記ユーザーデータ領域は複数のクラスタからなり、前記装置は、
前記記録媒体上にデータを記録するよう構成されたピックアップと、
前記ピックアップを制御するよう構成されたマイコンであって、前記ピックアップは、前記データ領域の欠陥領域を管理するための仮欠陥リストを有する第１のデータブロックを前記インナー領域または前記スペア領域内に割り当てられた仮欠陥管理領域上に記録するように、および、スペースビットマップを有する第２のデータブロックを前記仮欠陥管理領域上に記録するように構成され、前記スペースビットマップは、前記記録層上の特定の領域内の各クラスタが記録されたデータを含むか否かを指示するビットマップデータを含み、前記第２のデータブロックは、前記特定の領域の開始位置を指示する第１の情報、および前記特定の領域の長さに関連する第２の情報を含む、マイコンと
を備えたことを特徴とする装置。
【請求項４】
前記ピックアップは、前記記録媒体への記録が完了したとき、最後の仮欠陥リストおよび最後のスペースビットマップを前記インナー領域または前記アウター領域内に割り当てられた欠陥管理領域上に記録するよう構成されることを特徴とする請求項３に記載の装置。
【請求項５】
前記記録媒体は第１の記録層および第２の記録層を有し、前記ピックアップは、前記第１の記録層に適用される第２のスペースビットマップを前記仮欠陥管理領域上に記録するよう、および前記第２の記録層に適用される第２のスペースビットマップを前記仮欠陥管理領域上に記録するよう構成されることを特徴とする請求項４に記載の装置。
【請求項６】
記録層を有する記録媒体からデータを再生する方法であって、前記記録層はインナー領域、データ領域およびアウター領域を含み、前記データ領域はユーザーデータ領域およびスペア領域に分けられ、前記ユーザーデータ領域は複数のクラスタからなり、前記方法は、
（ａ）データ領域の欠陥領域を管理するための仮欠陥リストを有する第１のデータブロックを前記インナー領域または前記スペア領域内に割り当てられた仮欠陥管理領域から再生するステップと、
（ｂ）スペースビットマップを有する第２のデータブロックを前記仮欠陥管理領域から再生するステップであって、前記スペースビットマップは、前記記録層上の特定の領域内の各クラスタが記録されたデータを含むか否かを指示するビットマップデータを含み、前記第２のデータブロックは、前記特定の領域の開始位置を指示する第１の情報、および前記特定の領域の長さに関連する第２の情報を含む、ステップと
を含むことを特徴とする方法。
【請求項７】
（ｃ）前記記録媒体への記録が完了している場合、最後の仮欠陥リストおよび最後のスペースビットマップを前記インナー領域または前記アウター領域内に割り当てられた欠陥管理領域から再生するステップ
をさらに含むことを特徴とする請求項６に記載の方法。
【請求項８】
（ｄ）前記仮欠陥管理領域から再生される前記スペースビットマップ、または前記欠陥管理領域から再生される前記最後のスペースビットマップに基づいて、データを記録すべきことが要求された特定の領域にすでに記録されたデータが含まれるか否かを判定するステップ
をさらに含むことを特徴とする請求項７に記載の方法。
【請求項９】
記録層を有する記録媒体からデータを再生する装置であって、前記記録層はインナー領域、データ領域およびアウター領域を含み、前記データ領域はユーザーデータ領域およびスペア領域に分けられ、前記ユーザーデータ領域は複数のクラスタからなり、前記装置は、
前記記録媒体上にデータを記録または前記記録媒体からデータを再生するよう構成されたピックアップと、
前記ピックアップを制御するよう構成されたマイコンであって、前記ピックアップは、前記データ領域の欠陥領域を管理するための仮欠陥リストを有する第１のデータブロックを前記インナー領域または前記スペア領域内に割り当てられた仮欠陥管理領域から再生するように、および、スペースビットマップを有する第２のデータブロックを前記仮欠陥管理領域から再生するように構成され、前記スペースビットマップは、前記記録層上の特定の領域内の各クラスタが記録されたデータを含むか否かを指示するビットマップデータを含み、前記第２のデータブロックは、前記特定の領域の開始位置を指示する第１の情報、および前記特定の領域の長さに関連する第２の情報を含む、マイコンと
を備えたことを特徴とする装置。
【請求項１０】
前記ピックアップは、前記記録媒体への記録が完了している場合、最後の仮欠陥リストおよび最後のスペースビットマップを前記インナー領域または前記アウター領域内に割り当てられた欠陥管理領域から再生するよう構成されることを特徴とする請求項９に記載の装置。
【請求項１１】
前記ピックアップは、前記仮欠陥管理領域から再生される前記仮欠陥リスト、または前記欠陥管理領域から再生される前記最後の欠陥リストに基づいて、前記欠陥領域に代わる代替領域内に記録されたデータを再生するよう構成されたことを特徴とする請求項１０に記載の装置。
【請求項１２】
前記マイコンは、前記仮欠陥管理領域から再生される前記スペースビットマップ、または前記欠陥管理領域から再生される前記最後のスペースビットマップに基づいて、データを記録すべきことが要求された特定の領域にすでに記録されたデータが含まれるか否かを判定するよう構成されたことを特徴とする請求項１０に記載の装置。
【請求項１３】
前記マイコンは、前記仮欠陥管理領域から再生される前記スペースビットマップに基づいて、データを記録すべきことが要求された特定の領域にすでに記録されたデータが含まれるか否かを判定するよう構成され、および前記ピックアップは、前記特定の領域が記録されたデータを含む場合、記録すべきと要求された前記データを前記データ領域内の別の領域上に記録するよう構成されたことを特徴とする請求項９乃至１１のいずれか１つに記載の装置。
【請求項１４】
記録層を有する記録媒体であって、前記記録層はインナー領域、データ領域およびアウター領域を含み、前記データ領域はユーザーデータ領域およびスペア領域に分けられ、前記ユーザーデータ領域は複数のクラスタからなり、前記記録媒体は、
前記インナー領域または前記スペア領域内に割り当てられた仮欠陥管理領域であって、前記仮欠陥管理領域は、前記データ領域の欠陥領域を管理するための仮欠陥リストを有する第１のデータブロック、および、前記記録媒体からのスペースビットマップを有する第２のデータブロックを格納し、前記スペースビットマップは、前記記録層上の特定の領域内の各クラスタが記録されたデータを含むか否かを指示するビットマップデータを含み、前記第２のデータブロックは、前記特定の領域の開始位置を指示する第１の情報、および前記特定の領域の長さに関連する第２の情報を含む、仮欠陥管理領域
を備えたことを特徴とする記録媒体。
【請求項１５】
前記インナー領域または前記アウター領域内に割り当てられた欠陥管理領域であって、前記記録媒体への記録を完了すべきときの、最後の仮欠陥リストおよび最後のスペースビットマップを格納する、欠陥管理領域をさらに備えたことを特徴とする請求項１４に記載の記録媒体。
【請求項１６】
前記記録媒体は第１の記録層および第２の記録層を有し、前記仮欠陥管理領域は、それぞれ前記第１の記録層のための第２のデータブロックおよび前記第２の記録層のための第２のデータブロックを格納することを特徴とする請求項１４または１５に記載の記録媒体。
【請求項１７】
記録層を有する記録媒体上にデータを記録する動作を実行するプログラムを記憶するコンピュータ読み取り可能な記録媒体であって、前記記録層はインナー領域、データ領域およびアウター領域を含み、前記データ領域はユーザーデータ領域およびスペア領域に分けられ、前記ユーザーデータ領域は複数のクラスタからなり、前記プログラムは、
（ａ）データ領域の欠陥領域を管理するための仮欠陥リストを有する第１のデータブロックを前記インナー領域または前記スペア領域内に割り当てられた仮欠陥管理領域上に記録するステップと、
（ｂ）スペースビットマップを有する第２のデータブロックを前記仮欠陥管理領域上に記録するステップであって、前記スペースビットマップは、前記記録層上の特定の領域内の各クラスタが記録されたデータを含むか否かを指示するビットマップデータを含み、前記第２のデータブロックは、前記特定の領域の開始位置を指示する第１の情報、および前記特定の領域の長さに関連する第２の情報を含む、ステップと
を実行するようプログラムされることを特徴とするコンピュータ読み取り可能な記録媒体。
【請求項１８】
記録層を有する記録媒体上にデータを記録する動作を実行するプログラムであって、前記記録層はインナー領域、データ領域およびアウター領域を含み、前記データ領域はユーザーデータ領域およびスペア領域に分けられ、前記ユーザーデータ領域は複数のクラスタからなり、前記プログラムは、
（ａ）データ領域の欠陥領域を管理するための仮欠陥リストを有する第１のデータブロックを前記インナー領域または前記スペア領域内に割り当てられた仮欠陥管理領域上に記録するステップと、
（ｂ）スペースビットマップを有する第２のデータブロックを前記仮欠陥管理領域上に記録するステップであって、前記スペースビットマップは、前記記録層上の特定の領域内の各クラスタが記録されたデータを含むか否かを指示するビットマップデータを含み、前記第２のデータブロックは、前記特定の領域の開始位置を指示する第１の情報、および前記特定の領域の長さに関連する第２の情報を含む、ステップと
を実行するようプログラムされることを特徴とするプログラム。
【請求項１９】
記録層を有する記録媒体からデータを再生する動作を実行するプログラムを記憶するコンピュータ読み取り可能な記録媒体であって、前記記録層はインナー領域、データ領域およびアウター領域を含み、前記データ領域はユーザーデータ領域およびスペア領域に分けられ、前記ユーザーデータ領域は複数のクラスタからなり、前記プログラムは、
（ａ）データ領域の欠陥領域を管理するための仮欠陥リストを有する第１のデータブロックを前記インナー領域または前記スペア領域内に割り当てられた仮欠陥管理領域から再生するステップと、
（ｂ）スペースビットマップを有する第２のデータブロックを前記仮欠陥管理領域から再生するステップであって、前記スペースビットマップは、前記記録層上の特定の領域内の各クラスタが記録されたデータを含むか否かを指示するビットマップデータを含み、前記第２のデータブロックは、前記特定の領域の開始位置を指示する第１の情報、および前記特定の領域の長さに関連する第２の情報を含む、ステップと
を実行するようプログラムされることを特徴とするコンピュータ読み取り可能な記録媒体。
【請求項２０】
記録層を有する記録媒体からデータを再生する動作を実行するプログラムであって、前記記録層はインナー領域、データ領域およびアウター領域を含み、前記データ領域はユーザーデータ領域およびスペア領域に分けられ、前記ユーザーデータ領域は複数のクラスタからなり、前記プログラムは、
（ａ）データ領域の欠陥領域を管理するための仮欠陥リストを有する第１のデータブロックを前記インナー領域または前記スペア領域内に割り当てられた仮欠陥管理領域から再生するステップと、
（ｂ）スペースビットマップを有する第２のデータブロックを前記仮欠陥管理領域から再生するステップであって、前記スペースビットマップは、前記記録層上の特定の領域内の各クラスタが記録されたデータを含むか否かを指示するビットマップデータを含み、前記第２のデータブロックは、前記特定の領域の開始位置を指示する第１の情報、および前記特定の領域の長さに関連する第２の情報を含む、ステップと
を実行するようプログラムされることを特徴とするプログラム。